(57)【要約】【課題】湯注しをする場合よりも少ない消費電力量で、追焚きをすることができるヒートポンプ給湯機を提供する。【解決手段】ヒートポンプ給湯機１０００は、圧縮機１、凝縮器２を構成する高温側伝熱管２Ｈ、膨張弁３、蒸発器４が順次接続された冷媒回路１０１と、浴槽１０、浴槽水ポンプ１１、追焚き熱交換器１２を構成する低温側伝熱管１２Ｌが順次接続された浴槽水回路３０１と、循環温水ポンプ６と、凝縮器２を構成する低温側伝熱管２Ｌと、切替弁７と、追焚き熱交換器１２を構成する高温側伝熱管１２Ｈが、順次接続された循環温水加熱回路（追焚き回路）２０２と、凝縮器２において加熱された循環温水によって、浴槽水を追焚き熱交換器１２において加熱する場合に、浴槽水の目標温度と測定温度との差に基づいて、凝縮器２における加熱能力を所定の範囲に制御する加熱能力制御手段４００と、を有する。【選択図】図１
2011252675.tif 000002
【特許請求の範囲】
【請求項１】
圧縮機、凝縮器を構成する高温側伝熱管、膨張弁および蒸発器が冷媒配管によって順次に接続された冷媒回路と、
浴槽、浴槽水ポンプおよび追焚き熱交換器を構成する低温側伝熱管が浴槽水配管によって順次接続された浴槽水回路と、
前記凝縮器を構成する低温側伝熱管、前記追焚き熱交換器を構成する高温側伝熱管および循環温水ポンプが循環温水配管によって順次接続された循環温水加熱回路と、
前記冷媒回路の加熱能力を制御する加熱能力制御手段と、を備え、
前記加熱能力制御手段は、前記凝縮器において加熱された前記循環温水配管を流れる循環温水によって、前記浴槽水配管を流れる浴槽水を前記追焚き熱交換器において加熱する場合に、前記浴槽水の目標温度と測定温度との差に基づいて、前記凝縮器における加熱能力を所定の範囲に制御することを特徴としたヒートポンプ給湯機。
【請求項２】
前記凝縮器における加熱能力を所定の範囲に制御するに際し、前記加熱能力制御手段は、前記循環温水ポンプの回転数を一定にして、前記圧縮機の回転数を制御することを特徴とした請求項１記載のヒートポンプ給湯機。
【請求項３】
前記凝縮器における制御された加熱能力の所定の範囲が、前記圧縮機の定格能力の４０〜１００％の範囲に相当することを特徴とする請求項１または２記載のヒートポンプ給湯機。
【請求項４】
前記循環温水加熱回路の循環温水配管が、前記追焚き熱交換器の入口側および出口側においてそれぞれ分岐され、該分岐された入口側分岐部と出口側分岐部とに接続配管を介して温水タンクが接続され、前記入口側分岐部または出口側分岐部の少なくとも一方に切替弁が設置されていることを特徴とする請求項１乃至３の何れかに記載のヒートポンプ給湯機。
【発明の詳細な説明】
【技術分野】
【０００１】
本発明は、ヒートポンプ給湯機、特に、浴槽内の浴槽水を保温可能なヒートポンプ給湯機に関する。
【背景技術】
【０００２】
従来のヒートポンプ給湯機は、安価な夜間電力によって加熱した高温の給水（以下、「温水」と称す）」を温水タンクに貯え、温水を浴槽に供給し、供給された温水が冷めた時には、追焚きを可能にしていた。
例えば、冷凍サイクルを実現する熱源回路（冷媒が流れる）と、熱源回路に凝縮器によって熱的に連結された加熱回路（温水が流れる）と、該加熱回路に追焚き熱交換器によって熱的に連結された浴槽水回路（浴槽水が流れる）と、を有し、浴槽内の浴槽水の温度が低下し、保温（以下、「追焚き」と称す）を実行するときに、追焚き熱交換器に熱交換の過程において、循環温水（徐々に降温する）と浴槽水（徐々に昇温する）との温度差を小さくすることによって、加熱効率（ＣＯＰ）を高める発明が開示されている（例えば、特許文献１参照）。
【先行技術文献】
【特許文献】
【０００３】
【特許文献１】特開２００６−２３４３１４号公報（第１０−１１頁、第１図）
【発明の概要】
【発明が解決しようとする課題】
【０００４】
しかしながら、特許文献１に記載された従来のヒートポンプ給湯機は、浴槽水の温度に基づいて、追焚き熱交換器に流入する循環温水（凝縮器によって加熱される水）の温度を制御するが、加熱能力が大きくなると、追焚きを実施するための消費電力量が増大する。このため、温水タンクに貯湯した温水で保温を実施する（以下、「湯注し」と称す）よりも、消費電力量が大きくなるという問題が生じていた。
【０００５】
本発明は上記問題を解決するためになされたもので、追焚きをする場合に必要な加熱量を確保するために必要な消費電力量を、湯注しをする場合に必要な加熱量を確保するために必要な消費電力量よりも低減することができるホートポンプ給湯機を提供することを目的とする。
【課題を解決するための手段】
【０００６】
本発明に係るヒートポンプ給湯機は、
圧縮機、凝縮器を構成する高温側伝熱管、膨張弁および蒸発器が冷媒配管によって順次に接続された冷媒回路と、
浴槽、浴槽水ポンプおよび追焚き熱交換器を構成する低温側伝熱管が浴槽水配管によって順次接続された浴槽水回路と、
前記凝縮器を構成する低温側伝熱管、前記追焚き熱交換器を構成する高温側伝熱管および循環温水ポンプが循環温水配管によって順次接続された循環温水加熱回路と、
前記冷媒回路の加熱能力を制御する加熱能力制御手段と、を備え、
前記加熱能力制御手段は、前記凝縮器において加熱された前記循環温水配管を流れる循環温水によって、前記浴槽水配管を流れる浴槽水を前記追焚き熱交換器において加熱する場合に、前記浴槽水の目標温度と測定温度との差に基づいて、前記凝縮器における加熱能力を所定の範囲に制御することを特徴としたものである。
【発明の効果】
【０００７】
本発明に係るヒートポンプ給湯機によれば、追焚き運転時に、循環温水による保温加熱能力を調節することで、追焚きに必要な加熱量（循環温水を所定温度に沸き上げるために必要な消費電力量）を、湯注ぎに必要な加熱量（温水タンク内に貯湯されたタンク温水を用いた場合、使用するタンク温水を沸き上げるための消費電力量）に比べて低減させることができる。
【図面の簡単な説明】
【０００８】
【図１】本発明の実施の形態に係るヒートポンプ給湯機の構成を示す回路図。
【図２】本発明の実施の形態に係るヒートポンプ給湯機の構成を示す回路図。
【図３】本発明の実施の形態に係るヒートポンプ給湯機の追焚き（保温）運転時の制御フローチャート。
【図４】本発明の実施の形態に係るヒートポンプ給湯機の保温加熱能力に対する消費電力量を示す特性図。
【発明を実施するための形態】
【０００９】
図１〜図４は本発明の実施の形態に係るヒートポンプ給湯機を説明するものであって、図１および図２は構成を模式的に示す回路図、図３は追焚き（保温）運転時の制御フローを示すフローチャート、図４は効果を説明する特性線図である。
図１および図２において、ヒートポンプ給湯機１０００は、ヒートポンプユニット１００と、温水タンクユニット２００と、浴槽ユニット３００と、計測制御装置４００とを備えている。以下、それぞれについて個別に説明する。
【００１０】
（ヒートポンプユニット）
ヒートポンプユニット１００は、圧縮機１、凝縮器（冷媒と水との間の熱交換をする）２、膨張弁３及び蒸発器（冷媒と空気との間の熱交換をする）４を有し、これらが冷媒配管５によって順次接続され、冷媒が循環する回路１０１が形成され、冷凍サイクルが実行可能になっている（正確には、凝縮器２を構成する高温側伝熱管２Ｈは、冷媒回路１０１の一部を構成している）。なお、蒸発器４に対向して外気を送風するファン４ｆが配置されている。
また、ヒートポンプユニット１００の外郭またはその近傍に外気温度センサー１３ｃが設けられ、ヒートポンプユニット１００の周囲の外気温度が計測される。
さらに、冷媒回路１０１において、吐出温度センサー１３ｄが圧縮機１の出口側に、吸入温度センサー１３ｅが圧縮機１の入口側に、それぞれ設けられ、蒸発温度センサー１３ｆが蒸発器４の入口から中間部に設けられており、それぞれ配置場所の冷媒温度を計測する。
【００１１】
なお、圧縮機１から吐出する冷媒の圧力や温度を変化させることができるように、圧縮機駆動装置（図示せず）をインバータ制御のＤＣブラシレスモータを使用して回転数を可変としたものとするが、複数台の圧縮機を組合せて、この組合せを切換えることによって、全体の能力を可変としても良い。また、圧縮機１の吸入側に冷媒音を低減させるサクションマフラーのような容器や、圧縮機１の吐出側に流出した潤滑油を回収する装置など、他の目的の構造を付加しても良い。
ヒートポンプユニット１００の冷媒としては、高温に圧縮することができる冷媒、例えば、二酸化炭素、Ｒ４１０Ａ、プロパン、プロピレンなどの冷媒が適しているが、本発明は、これらに限定するものではない。
【００１２】
（浴槽ユニット）
浴槽ユニット３００は、浴槽１０、浴槽水を循環させる浴槽水ポンプ１１、追焚き熱交換器（浴槽水と後記循環温水との間で熱交換する）１２を、有し、これらが浴槽水配管９ｈ〜９ｊによって順次接続され、浴槽水回路３０１が形成される（正確には、追焚き熱交換器１２を構成する低温側伝熱管１２Ｌの上流側および下流側に、それぞれ浴槽水配管９ｈの下流側および浴槽水配管９ｊの上流側が接続されている）。
また、浴槽１０には浴槽水温度センサー１３ｋが設けられ、浴槽内における浴槽水の温度を計測する。浴槽水回路３０１において、追焚き熱交換器１２の入口側および出口側に、それぞれ追焚き熱交換器入水温度センサー１３ｌおよび追焚き熱交換器出湯温度センサー１３ｍが設けられ、それぞれ設置場所における浴槽水の温度が計測される。
【００１３】
（温水タンクユニット）
温水タンクユニット２００は、水を凝縮器２に送水する循環温水ポンプ６と、凝縮器２で加熱された水（以下、「温水」と称す）を貯留する温水タンク８と、循環水の流路を切り替える切替弁（三方弁）７と、を有している。
すなわち、切替弁７の切換により、循環温水ポンプ６と、凝縮器２（正確には、凝縮器２を構成する低温側伝熱管２Ｌ）と、切替弁７と、追焚き熱交換器１２（正確には、追焚き熱交換器１２を構成する高温側伝熱管１２Ｈ）と、循環温水ポンプ６とが、循環温水配管９ａ、９ｂ、９ｅ、９ｆ、９ｇによって接続され、循環温水加熱回路（追焚き回路）２０２が構成される。
さらに、凝縮器２（正確には、凝縮器２を構成する低温側伝熱管２Ｌ）の入口側および出口側に、それぞれ、入水温度センサー１３ａおよび出湯温度センサー１３ｂが設けられ、それぞれ設置場所の循環水の温度が計測される。
【００１４】
また、切替弁７の切換により、循環温水ポンプ６と、凝縮器２（正確には、凝縮器２を構成する低温側伝熱管２Ｌ）と、切替弁７と、温水タンク８と、循環温水ポンプ６とが、循環温水配管９ａ、９ｂおよび接続配管９ｃ、９ｄおよび循環温水配管９ｇによって接続され温水タンク加熱回路（給湯回路）２０１が構成される。
また、温水タンク８の表面には温水タンク温度センサー１３ｇ〜１３ｊが設けられ、温水タンク８内に貯溜されたタンク温水の温度が計測される。
【００１５】
なお、図１には、温水タンク加熱回路２０１の温水タンク８に貯留された一定温度のタンク温水を、例えば浴槽１０や台所（図示しない）等に直接供給する接続配管等や、水源からの水を温水タンク加熱回路２０１内に受け入れる接続配管等、温水タンク加熱回路２０１から浴槽１０や台所（図示しない）等に水を供給する接続配管等の記載を省略している。
【００１６】
（計測制御装置）
ヒートポンプユニット１００内には、制御手段としての計測制御装置４００が設けられている。この計測制御装置４００は、各温度センサー１３ａ〜１３ｍ等によって計測された計測情報や、ヒートポンプ給湯機１０００の使用者からリモコン装置（図示しない）等によって指示された運転指令情報の内容に基づいて、圧縮機１の運転方法、膨張弁３の開度、循環温水ポンプ６の運転方法、切替弁７の流路方向、浴槽水ポンプ１１の運転方法、沸き上げ運転、追焚き運転などを制御する。
【００１７】
（沸き上げ運転の動作）
図２について、このヒートポンプ給湯機１０００における沸き上げ運転の動作について説明する。
沸き上げ運転とは、冷媒回路１０１と温水タンク加熱回路２０１とを動作させ（正確には、切替弁７を切り替え、圧縮機１および循環温水ポンプ６を運転する）、温水タンク８の底部の取水口８ｂから比較的低温のタンク温水を流出させて凝縮器２に送水し、凝縮器２で冷媒と熱交換する（冷媒の有する温熱を、タンク温水に受け渡す）ことによってタンク温水の温度を高め、温水タンク８の上部の貯湯口８ａから温水タンク８内に戻す動作である。図中、循環水または浴槽水が流れていない接続配管を破線で示している。
【００１８】
すなわち、ヒートポンプユニット１００の冷媒回路１０１において、圧縮機１から吐出された高温高圧のガス冷媒は凝縮器２において温水タンク加熱回路２０１側へ放熱（タンク温水を加熱）しながら温度が低下する。このとき、冷媒の圧力が臨界圧以上であれば、冷媒は超臨界状態（気相）の状態を維持し、気液相転移しないで温度低下して温熱を放出する。一方、冷媒の圧力が臨界圧以下であれば、気液相転移するから、液化しながら温熱を放出する。
つまり、冷媒から放熱された温熱を負荷側媒体（ここでは、温水タンク加熱回路２０１を流れるタンク温水）に与えることで沸き上げ（給湯加熱）を行う。沸き上げをして凝縮器２から流出した温度の下がった高圧の冷媒は、膨張弁３に流入する。
【００１９】
そして、膨張弁３に流入した高圧の冷媒は、ここで低圧気液二相の状態に減圧される。
さらに、膨張弁３から流出した冷媒（減圧され、低温になっている）は、蒸発器４に流入し、そこで外気（周囲の空気）から温熱を吸収し、蒸発ガス化される。蒸発器４を出た低圧の冷媒は圧縮機１に吸入され、冷媒が循環する冷凍サイクルが実行される。
【００２０】
一方、温水タンクユニット２００側では、温水タンク加熱回路２０１において、温水タンク８内の水が、温水タンク８の底部の取水口８ｂから接続配管９ｄおよび循環温水配管９ｇを経由して循環温水ポンプ６に吸引され、循環温水配管９ａを経由して凝縮器２（低温側伝熱管２Ｌ）内に搬送される。そして、ここで高温の冷媒と熱交換して加熱（沸き上げ）され、循環温水配管９ｂ、切替弁７、接続配管９ｃを経由して、温水タンク８の上部の貯湯口８ａから温水タンク８内に流入する。これにより、温水タンク８内のタンク温水は、上部が高温で下部が低温の状態になる。
【００２１】
（沸き上げ運転の制御動作）
次に、このヒートポンプ給湯機での沸き上げ運転の制御動作について説明する。
まず、回転数等で制御される圧縮機１の運転容量及び循環温水ポンプ６の回転数は、後述の計測制御装置４００で算出される加熱能力に基づいて調整される。
つまり、加熱能力及び凝縮器２の低温側伝熱管２Ｌの出口におけるタンク温水の出湯温度Ｔｂ（出湯温度センサー１３ｂによって計測される）が、予め定められた目標値（Ｔｂ１）となるように調整制御される。その目標出湯温度Ｔｂ１は、使用者からリモコンにて指示される運転指令情報から設定されるか、あるいはリモコン内もしくは計測制御装置４００に設けられたマイコンにて過去の給湯使用量から算出される蓄熱エネルギー（貯湯量）を確保できるように設定される。なお、目標出湯温度Ｔｂ１は、あらかじめ範囲が決められており、例えば６５℃〜９０℃の範囲に設定されている。
そして、目標出湯温度Ｔｂ１の最大値（例えば、９０℃）で所定の加熱能力を確保できれば、目標出湯温度Ｔｂ１の範囲内（例えば、６５℃〜９０℃）で所定の加熱能力を確保できる。
【００２２】
（圧縮機の制御動作）
したがって、凝縮器２の加熱能力である圧縮機１について、その回転数は、上述したように例えば外気温度Ｔｃ（外気温度センサー１３ｃによって計測される）とタンク温水の出湯温度Ｔｂ（出湯温度センサー１３ｂによって計測される）とに基づき調整することで、どのような目標出湯温度Ｔｂ１においても所定の加熱能力を確保することができる。
言いかえれば圧縮機１の出力は、どのような外部条件に対しても「給湯機」として要求されるタンク温水の出湯温度Ｔｂを何時でも確保できる加熱能力を準備しており、この結果、常に所望の温度のタンク温水（お湯）を「給湯装置」として得ることができる。
また、圧縮機１の回転数は、圧縮機耐久性の観点から上限回転数および下限回転数が設けられ、たとえば、圧縮機１の定格能力の４０〜１００％の範囲に相当する回転数にすることが好ましい。
【００２３】
（膨張弁の制御動作）
膨張弁３の開度は、吐出温度Ｔｄ（温度センサー１３ｄによって計測される）を所定値（目標吐出温度Ｔｄ１）になるように制御される。目標吐出温度Ｔｄ１は、目標出湯温度Ｔｂ１を確保できる温度とするため、目標出湯温度Ｔｂ１より「α［℃］」だけ高い温度、すなわち「Ｔｄ１＝Ｔｂ１＋α」に設定されている。
なお、「α」の値は、例えば外気温度Ｔｃ（温度センサー１３ｃによって計測される）や目標出湯温度Ｔｂ１の関数とする。このように目標出湯温度Ｔｂ１に応じた目標吐出温度Ｔｄ１とすることで、要求された出湯温度Ｔｂを確保することができる。
また、圧縮機１の耐久性や冷凍機油劣化などの観点から、通常、吐出温度Ｔｄには上限温度が設けられている。
【００２４】
（ポンプの制御動作）
循環温水ポンプ６の回転数は、出湯温度Ｔｂが目標出湯温度Ｔｂ１となるように制御される。膨張弁３において、吐出温度Ｔｄが「目標出湯温度Ｔｂ１＋α［℃］」に制御されるため、即ち、冷媒回路１０１側の加熱能力が一定に維持されているため、確実に出湯温度Ｔｂを確保することができる。
【００２５】
（追焚き運転の動作）
図１について、ヒートポンプ給湯機１０００の運転動作の特徴部分である追焚き（保温）運転の動作について説明する。
追焚き運転では、冷媒回路１０１と、循環温水加熱回路２０２と、浴槽水回路３０１とを同時に動作させる（正確には、切替弁７を切り替え、圧縮機１、循環温水ポンプ６および浴槽水ポンプ１１を運転する）。図中、循環水が流れていない接続配管を破線で示している。
すなわち、循環温水加熱回路２０２（温水タンク８が切り離されている）を形成する循環温水配管９ａ、９ｂ、９ｅ、９ｆ、９ｇ、凝縮器２の低温側伝熱管２Ｌ、および追焚き熱交換器１２の高温側伝熱管１２Ｈ内に停留した水（全タンク温水の内、温水タンク８および接続配管９ｃ、９ｄに貯溜したタンク温水を除いたものに同じ、以下、「循環温水」と称す）を、循環温水加熱回路２０２内で循環させるものである。
【００２６】
このとき、冷媒回路１０１では、循環する冷媒を凝縮器２に流入させて、循環温水加熱回路２０２を循環する循環温水に温熱を受け渡す（冷媒を冷却する）。
また、循環温水加熱回路２０２では、循環温水ポンプ６で循環温水を循環させて、凝縮器２において冷媒回路１０１を循環する冷媒から温熱を受け取り（循環温水を加熱し）、追焚き熱交換器１２において浴槽水回路３０１を循環する浴槽水に温熱を受け渡す（循環温水を冷却する）。
【００２７】
さらに、浴槽水回路３０１では、浴槽水ポンプ１１でもって浴槽１０内の浴槽水を追焚き熱交換器１２に流入させて、追焚き熱交換器１２において、循環温水加熱回路２０２を循環する循環温水から温熱を受け取って、浴槽水を加熱し、浴槽１０に戻す動作となる。これにより、浴槽１０内の浴槽水の温度は一定に保持される（保温される）状態となる。
【００２８】
（追焚き運転の制御動作）
次に、ヒートポンプ給湯機１０００における追焚き（保温）運転の制御動作について説明する。なお、ヒートポンプユニット１００の冷媒回路１０１の運転制御動作については、沸き上げ運転と同様であるため、以下は追焚き運転の特徴部分を説明する。
回転数等で制御される圧縮機１の運転容量は、計測制御装置４００で算出され、循環温水の入水温度Ｔａ（入水温度センサー１３ａによって計測検知される）と、循環温水の出湯温度Ｔｂ（出湯温度センサー１３ｂによって計測される）との循環温水出入口温度差ΔＴｂａ（＝Ｔｂ−Ｔａ）が所定の範囲内に収まるように調整制御される（これについては、別途詳細に説明する）。
【００２９】
つまり、冷媒回路１０１を循環する冷媒の加熱能力が所定の範囲内に収まるように、圧縮機１の運転容量が調整制御される。
また、循環温水ポンプ６の回転数は、出湯温度Ｔｂが予め定められた追焚き時目標出湯温度Ｔｂ２となるように調整制御される。追焚き時目標出湯温度Ｔｂ２は、使用者からリモコンにて指示される運転指令情報から設定される。また、追焚き時目標出湯温度Ｔｂ２は、あらかじめ範囲が決められており、例えば５０℃〜７０℃の範囲に設定される。
【００３０】
浴槽水回路３０１において、回転数で制御される浴槽水ポンプ１１の回転数は、回転数一定で制御されるか、または、追焚き熱交換器１２の入口における浴槽水の入水温度Ｔｌ（追焚き熱交換器入水温度センサー１３ｌによって計測検知される）と出湯温度Ｔｍ（追焚き熱交換器出湯温度センサー１３ｍによって計測検知される）との温度差（Ｔｍ−Ｔｌ）が予め定めた目標温度差ΔＴｍｌ内に収まるように制御される。
また、目標温度差ΔＴｍｌはあらかじめ範囲が決められており、例えば、３℃〜１０℃の範囲で設定されている。
【００３１】
（制御フロー）
図３に示すフローチャートについて、ヒートポンプ給湯機１０００における追焚き（保温）運転の制御動作を説明する。なお、ステップｊを「Ｓｊ」と記載する。
まず、ステップ１（Ｓ１）において、計測制御装置４００は、リモコンなどでユーザーに指定された浴槽水の目標保温温度Ｔｋ１を記録する。
次に、ステップ２（Ｓ２）において、計測制御装置４００は、浴槽水温度センサー１３ｋによって浴槽水温度Ｔｋを計測し、記録する。
さらに、ステップ３（Ｓ３）において、計測制御装置４００は、目標保温温度Ｔｋ１と浴槽水温度Ｔｋとの温度差ΔＴｋ（＝Ｔｋ１−Ｔｋ）を算出し、所定の温度差ΔＴ１以下（ΔＴｋ≦ΔＴ１）であれば、一定時間経過後にステップ２に戻り、所定の温度差ΔＴｋ１より大きければ（ΔＴｋ＞ΔＴ１）、ステップ４（Ｓ４）に移る。
【００３２】
ステップ４（Ｓ４）で、計測制御装置４００は、追焚き時のヒートポンプ給湯機１０００の目標出湯温度Ｔｂ１を設定する。
ステップ５（Ｓ５）で、計測制御装置４００は、追焚き時のヒートポンプ給湯機の圧縮機１の周波数を設定する。
ステップ６（Ｓ６）で、計測制御装置４００は、ヒートポンプ給湯機の運転を開始する。
【００３３】
一定時間経過後、ステップ７（Ｓ７）において、計測制御装置４００は、循環温水の入水温度Ｔａ（入水温度センサー１３ａによって計測検知される）と、循環温水の出湯温度Ｔｂ（温度センサー１３ｂによって計測される）との循環温水出入口温度差ΔＴｂａ（＝Ｔｂ−Ｔａ）を算出する。
循環温水出入口温度差ΔＴｂａが所定値ΔＴ２より小さい場合（ΔＴｂａ＜ΔＴ２）は、ステップ８（Ｓ８）に進み、圧縮機１の周波数を増加させ、一定時間経過後、ステップ７（Ｓ７）に戻る。
一方、循環温水出入口温度差ΔＴｂａが所定値ΔＴ３より大きい場合（ΔＴｂａ＞ΔＴ３）は、ステップ８（Ｓ８）に進み、圧縮機１の周波数を減少させ、一定時間経過後ステップ７（Ｓ７）に戻る。
【００３４】
ステップ７（Ｓ７）において、循環温水出入口温度差ΔＴｂａが一定の範囲内にあるときは（ΔＴ２≦ΔＴｂａ≦ΔＴ３）、一定時間経過後、ステップ９（Ｓ９）に進み、計測制御装置４００は、浴槽水温度センサー１３ｋによって、浴槽水温度Ｔｋを再度検出する。
【００３５】
ステップ１０（Ｓ１０）において、計測制御装置４００は、目標保温温度Ｔｋ１と浴槽水温度Ｔｋとの温度差ΔＴｋ（＝Ｔｋ１−Ｔｋ）を算出する。温度差ΔＴｋがあらかじめ定めていた範囲内であれば（ΔＴ４≦ΔＴｋ≦ΔＴ５）、ステップ１１（Ｓ１１）でヒートポンプ給湯機１０００の運転を停止し、追焚き運転を終了する。
一方、温度差ΔＴｋがあらかじめ定めていた範囲内になければ（ΔＴｋ＜ΔＴ４、ΔＴ５＜ΔＴｋ）、一定時間経過後、ステップ７（Ｓ７）に戻り、追焚き運転を継続する。
【００３６】
本発明の実施の形態によれば、浴槽１０の浴槽水を循環温水（冷凍サイクルにおける温熱によって加熱される）から受け渡された温熱によって追焚き（保温）する場合に、ヒートポンプ給湯機１０００の追焚き能力（保温加熱能力）を制御することで、温水タンク８に貯溜された夜間電力によって加熱されたタンク温水を浴槽１０に直接供給する（湯注する）場合と比較して、保温に必要な加熱量を確保するために必要な消費電力量を確実に低減させることができる。
【００３７】
図４において、浴槽水の保温加熱能力に対する、本発明の循環温水による追焚き運転を用いた保温と、従来の湯注ぎ（温水タンク８に貯溜された夜間電力によって加熱されたタンク温水を浴槽１０に直接供給する）による保温との消費電力量が示されている。
したがって、本発明の循環温水の温度（出湯温度Ｔｂ）固定で、保温加熱能力をパラメータとした場合、特定の範囲の加熱能力で、本発明の循環温水を用いた保温の消費電力量が、従来の湯注ぎによる消費電力量より小さくなる。
つまり、この範囲内の保温加熱能力（追焚き能力）で浴槽水の保温を実施することで、循環温水を用いた保温の消費電力量が、湯注ぎ（タンク温水を用いた保温）のためにタンク温水を夜間に沸き上げるときの消費電力量より小さくすることができる。
【産業上の利用可能性】
【００３８】
本発明に係るヒートポンプ給湯機は以上であるから、浴槽の浴槽水保温が必要となる各種ヒートポンプ給湯機として利用することができる。
【符号の説明】
【００３９】
１：圧縮機、２：凝縮器、２Ｈ：高温側伝熱管、２Ｌ：低温側伝熱管、３：膨張弁、４：蒸発器、４ｆ：ファン、５：冷媒配管、６：循環温水ポンプ、７：切替弁、８：温水タンク、８ａ：貯湯口、８ｂ：取水口、９ａ：循環温水配管、９ｂ：循環温水配管、９ｃ：接続配管、９ｄ：接続配管、９ｅ：循環温水配管、９ｆ：循環温水配管、９ｇ：循環温水配管、１０：浴槽、１１：浴槽水ポンプ、１２：追焚き熱交換器、１２Ｈ：高温側伝熱管、１２Ｌ：低温側伝熱管、１３ａ：入水温度センサー、１３ｂ：出湯温度センサー、１３ｃ：外気温度センサー、１３ｄ：吐出温度センサー、１３ｅ：吸入温度センサー、１３ｆ：蒸発温度センサー、１３ｇ〜１３ｊ：温水タンク温度センサー、１３ｋ：浴槽水温度センサー、１３ｌ：追焚き熱交換器入水温度センサー、１３ｍ：追焚き熱交換器出湯温度センサー、１００：ヒートポンプユニット、１０１：冷媒回路、２００：温水タンクユニット、２０１：温水タンク加熱回路、２０２：循環温水加熱回路、３００：浴槽ユニット、３０１：浴槽水回路、４００：計測制御装置、１０００：ヒートポンプ給湯機、Ｔａ：入水温度、Ｔｂ：出湯温度、Ｔｂ１：目標出湯温度、Ｔｂ２：目標出湯温度、Ｔｃ：外気温度、Ｔｄ：吐出温度、Ｔｄ１：目標吐出温度、Ｔｋ：浴槽水温度、Ｔｋ１：目標保温温度、Ｔｌ：入水温度、Ｔｍ：出湯温度、ΔＴ１：温度差、ΔＴ２：所定値、ΔＴ３：所定値、ΔＴｂａ：循環温水出入口温度差、ΔＴｋ：温度差、ΔＴｍｌ：目標温度差。
【図１】
2011252675.tif 000003
【図２】
2011252675.tif 000004
【図３】
2011252675.tif 000005
【図４】
2011252675.tif 000006